(57)【要約】【課題】スリープモードを有しつつ、適切に通電路の保護を行うことのできる電力供給制御装置を提供すること。【解決手段】電力供給制御装置は、電源と通電路との間に設けられ、電源から負荷への電力供給の許可および禁止を切替えるスイッチ回路、通電路保護回路、およびスリープモード設定回路を備える。通電路保護回路は、負荷への通電の開始または終了を指示する通電指示信号（入力ＳＷ信号）に応じてスイッチ回路の切替を制御するとともに、通電路の温度Ｔｗを、負荷への通電の有無にかかわらず算出し、スリープモードでは算出せず、算出された通電路の温度Ｔｗが所定の上限値Ｔｓｍに達した場合、スイッチ回路の通電を禁止する。スリープモード設定回路は、通電路の温度Ｔｗが所定の温度条件を満たす場合、該電力供給制御装置をスリープモードに設定する。【選択図】図２
2010239835.tif 000002
【特許請求の範囲】
【請求項１】
電源から負荷への電力供給を制御する電力供給制御装置であって、前記電源から前記負荷へ電力を供給する通電路に接続され、消費電流を抑えたスリープモードの動作モードを有する電力供給制御装置において、
前記電源と前記通電路との間に設けられ、前記電源から前記負荷への電力供給の許可および禁止を切替えるスイッチ回路と、
前記負荷への通電の開始または終了を指示する通電指示信号に応じて前記スイッチ回路の切替を制御するとともに、前記通電路の温度を、前記負荷への通電の有無にかかわらず算出し、前記スリープモードでは算出せず、算出された前記通電路の温度が所定の上限値に達した場合、前記スイッチ回路の通電を禁止して前記通電路の保護を行う通電路保護回路と、
前記通電路の温度が所定の温度条件を満たす場合、該電力供給制御装置を前記スリープモードに設定するスリープモード設定回路と、
を備える電力供給制御装置。
【請求項２】
前記所定の温度条件は、前記負荷への通電の終了を指示する通電指示を受け取った後において、前記通電路の温度が所定のしきい値温度まで低下することである、請求項１に記載の電力供給制御装置。
【請求項３】
前記通電路保護回路は、
前記負荷に流れる通電電流を検出する電流検出手段と、
環境温度を検出する温度検出手段と、
前記通電路の前記環境温度からの上昇温度を、前記通電路に流れる通電電流による前記通電路の発熱と、前記通電路の放熱との差に基づいて算出し、前記通電路の温度を、前記環境温度に前記通電路の前記上昇温度を加算して算出する電線温度演算回路と、
前記通電指示信号にしたがって前記スイッチ回路のオン・オフを制御するとともに、前記通電路の温度が所定の上限値に達した場合、前記スイッチ回路をオフする通電判断制御回路とを含む、請求項１または２に記載の電力供給制御装置。
【請求項４】
前記しきい値温度は、環境温度に所定の温度値を加算した温度である、請求項１から３のいずれか一項に記載の電力供給制御装置。
【請求項５】
電源から負荷へ電力を供給する通電路に接続され、前記電源から前記負荷への電力供給を制御する電力供給制御装置であって、前記電源から前記負荷への電力供給の許可および禁止を切替えるスイッチ回路と、消費電流を抑えたスリープモードの動作モードとを有する電力供給制御装置の制御方法において、
前記通電路の温度を、前記負荷への通電の有無にかかわらず算出する算出工程と、
前記算出された通電路の温度が所定の上限値に達した場合、前記スイッチ回路の通電を禁止する禁止工程と、
前記通電路の温度が所定の温度条件を満たす場合、該電力供給制御装置を前記スリープモードに設定する設定工程と、
を含む、電力供給制御装置の制御方法。
【請求項６】
前記所定の温度条件は、前記負荷への通電の終了を指示する通電指示を受け取った後において、前記通電路の温度が所定のしきい値温度まで低下することである、請求項５に記載の電力供給制御装置の制御方法。
【請求項７】
前記負荷への通電の開始を指示する通電指示に応じて、前記負荷に流れる通電電流および環境温度を検出する検出工程をさらに含み、
前記算出工程は、
前記環境温度からの前記通電路の上昇温度を、前記通電電流による前記通電路の発熱と、前記通電路の放熱との差に基づいて算出し、前記環境温度に前記通電路の上昇温度を加算して前記通電路の温度を算出する、請求項５または６に記載の電力供給制御装置の制御方法。
【請求項８】
前記しきい値温度は、前記環境温度に所定の温度値を加算した温度である、請求項５から７のいずれか一項に記載の電力供給制御装置の制御方法。
【発明の詳細な説明】
【技術分野】
【０００１】
本発明は、電力供給制御装置およびその制御方法に関し、特に、電力供給制御装置がスリープモードを有する場合における、負荷の通電路を保護する技術に関する。
【背景技術】
【０００２】
従来、電源と負荷とを接続する通電経路内に、例えばパワーＭＯＳＦＥＴなどの大電力用半導体スイッチ素子を設け、この半導体スイッチ素子をオン・オフさせることにより負荷への電流供給を制御するとともに、負荷への通電路を過電流から保護するようにした電力供給制御装置が提供されている。このような電力供給制御装置では、過電流が流れると上記半導体スイッチ素子の制御端子の電位を制御回路によって制御して当該半導体スイッチ素子をオフにして通電を遮断するものが知られている（文献１参照）。
【０００３】
また、電力供給制御装置が車載用の電力供給制御装置である場合、バッテリ上がりを防止するために、負荷の動作指示が無い場合には、消費電流を抑制する状態（スリープ状態）とすることが行われている。通常、このスリープ状態では、電力供給制御装置の機能は、スリープ状態を解除する機能を除いて、停止状態とされる。
【先行技術文献】
【特許文献】
【０００４】
【特許文献１】特開２００１−２１７６９６号公報
【発明の概要】
【発明が解決しようとする課題】
【０００５】
ところで、本出願の発明者らは、上記電力供給制御装置による通電路の保護を、通電路の温度検出に基づいて行う方法を考案した。その方法では、通電路の温度が、通電電流を検出して、通電電流による通電路の発熱と、通電路の放熱とに基づいて算出推定される。しかしながら、スリープ状態においては、上記したように、電力供給制御装置の動作はその一部を除いて停止されるため、通電路の温度算出を好適に行えず、通電路の保護を適切に行えない場合が生ずる虞があった。
【０００６】
本発明は上記のような事情に基づいて完成されたものであって、スリープモードを有しつつ、適切に通電路の保護を行うことのできる電力供給制御装置およびその制御方法を提供することを目的とする。
【課題を解決するための手段】
【０００７】
上記の目的を達成するための手段として、第１の発明に係る電力供給制御装置は、電源から負荷への電力供給を制御する電力供給制御装置であって、前記電源から前記負荷へ電力を供給する通電路に接続され、消費電流を抑えたスリープモードの動作モードを有する電力供給制御装置において、前記電源と前記通電路との間に設けられ、前記電源から前記負荷への電力供給の許可および禁止を切替えるスイッチ回路と、前記負荷への通電の開始または終了を指示する通電指示信号に応じて前記スイッチ回路の切替を制御するとともに、前記通電路の温度を、前記負荷への通電の有無にかかわらず算出し、前記スリープモードでは算出せず、算出された前記通電路の温度が所定の上限値に達した場合、前記スイッチ回路の通電を禁止して前記通電路の保護を行う通電路保護回路と、前記通電路の温度が所定の温度条件を満たす場合、該電力供給制御装置を前記スリープモードに設定するスリープモード設定回路とを備える。
【０００８】
第２の発明は、第１の発明の電力供給制御装置において、前記所定の温度条件は、前記負荷への通電の終了を指示する通電指示を受け取った後において、前記通電路の温度が所定のしきい値温度まで低下することである。
第３の発明は、第１または２の発明の電力供給制御装置において、前記通電路保護回路は、前記通電路に流れる通電電流を検出する電流検出手段と、環境温度を検出する温度検出手段と、前記通電路の前記環境温度からの上昇温度を、前記通電路に流れる通電電流による前記通電路の発熱と、前記通電路の放熱との差に基づいて算出し、前記通電路の温度を、前記環境温度に前記通電路の前記上昇温度を加算して算出する電線温度演算回路と、前記通電指示信号にしたがって前記スイッチ回路のオン・オフを制御するとともに、前記通電路の温度が所定の上限値に達した場合、前記スイッチ回路をオフする通電判断制御回路とを含む。
【０００９】
第４の発明は、第１から第３のいずれか一つの発明の電力供給制御装置において、前記しきい値温度は、環境温度に所定の温度値を加算した温度である。
【００１０】
また、上記の目的を達成するための手段として、第５の発明に係る電力供給制御装置の制御方法は、電源から負荷へ電力を供給する通電路に接続され、前記電源から前記負荷への電力供給を制御する電力供給制御装置であって、前記電源から前記負荷への電力供給の許可および禁止を切替えるスイッチ回路と、消費電流を抑えたスリープモードの動作モードとを有する電力供給制御装置の制御方法において、前記負荷への通電の開始を指示する通電指示の受け取りに応じて、前記通電路に流れる通電電流を検出する検出工程と、前記通電路の温度を、前記負荷への通電の有無にかかわらず算出する算出工程と、前記通電路の温度が所定の上限値に達した場合、前記スイッチ回路の通電を禁止する禁止工程と、前記通電路の温度が所定の温度条件を満たす場合、該電力供給制御装置を前記スリープモードに設定する設定工程とを含む。
【００１１】
第６の発明は、第５の発明の電力供給制御装置の制御方法において、前記所定の温度条件は、前記負荷への通電の終了を指示する通電指示を受け取った後において、前記通電路の温度が所定のしきい値温度まで低下することである。
第７の発明は、第５または６の発明の電力供給制御装置の制御方法において、
前記負荷への通電の開始を指示する通電指示に応じて、前記通電路に流れる通電電流および環境温度を検出する検出工程をさらに含み、前記算出工程は、前記環境温度からの前記通電路の上昇温度を、前記通電電流による前記通電路の発熱と、前記通電路の放熱との差に基づいて算出し、前記環境温度に前記通電路の上昇温度を加算して前記通電路の温度を算出する。
【００１２】
第８の発明は、第５から７の発明のいずれか一つの電力供給制御装置の制御方法において、前記しきい値温度は、前記環境温度に所定の温度値を加算した温度である。
【００１３】
上記第１および５の発明の構成によれば、通電路の温度が所定の温度条件を満たす場合に、電力供給制御装置がスリープモードに移行される。すなわち、負荷の通電が停止されても、通電路の温度が所定の温度条件を満たさない場合、電力供給制御装置はスリープモードに移行されない。そのため、電力供給制御装置は、負荷の通電が停止されても、通電路の温度の算出を継続することができ、通電路の温度推定が適正になされる。その結果、スリープモードを有しつつ、適切に通電路の保護を行うことができる。
【００１４】
上記第２および６の発明の構成によれば、負荷への通電の終了を指示する通電指示を受け取った後において、通電路の温度が所定のしきい値温度まで低下した場合に電力供給制御装置がスリープモードに移行される。すなわち、負荷への通電が終了されても、通電路の温度が所定のしきい値温度まで低下しない場合は、電力供給制御装置がスリープモードに移行されない。そのため、特に、負荷への通電のオン・オフが比較的短期間に繰り替えされ、通電路の温度が環境温度まで低下しない場合においても、好適に通電路の温度が算出され、適切に通電路の保護を行うことができる。
【００１５】
上記第３および７の発明の構成によれば、通電路の温度を、スリープモードではない通常の動作モードにおいて、負荷への通電の有無にかかわらず好適に算出推定することができる。
【００１６】
上記第４および８の発明の構成によれば、しきい値温度が、環境温度に所定の温度値を加算したものとして設定される。そのため、電力供給制御装置の設置状況に応じて、所定の温度値を適宜設定することによって、電力供給制御装置の省電力化と電線保護の信頼性とのバランスを適宜調整することができる。
【発明の効果】
【００１７】
本発明の電力供給制御装置およびその制御方法によれば、スリープモードを有しつつ、適切に通電路の保護を行うことができる。
【図面の簡単な説明】
【００１８】
【図１】本発明の一実施形態に係る電力供給制御装置の概略的なブロック図
【図２】一実施形態に係る各信号の時間推移を概略的に示すタイムチャート
【発明を実施するための形態】
【００１９】
＜実施形態＞
本発明の一実施形態について図１および図２を参照しつつ説明する。図１は、本発明の一実施形態に係る電力供給制御装置１０の概略的なブロック図である。図２は、一実施形態に係る各信号の時間推移を示すタイムチャートである。
【００２０】
１．回路構成
電力供給制御装置１０は、図１に示されるように、電源Ｂａと負荷５０との間において、電源Ｂａから負荷５０へ電力を供給する給電線（通電路）５１に接続され、電源Ｂａから負荷５０へ電力供給を制御する。電力供給制御装置１０は、消費電流を抑えたスリープモードの動作モードを有する。
【００２１】
電力供給制御装置１０は、大きくは、ＳＷ（スイッチ）入力検出回路（「スリープモード設定回路」の一例）４０、スイッチ回路３０、および通電路保護回路２０とを含む。
【００２２】
なお、本実施形態においては、電力供給制御装置１０は、自動車のエンジンルーム内に配置される例を示す。電源Ｂａはバッテリであり、負荷５０として例えばモータが、通電路５１である電線を介して電力供給制御装置１０によって駆動制御される例が示される。また、図１において、スイッチ回路３０にはバッテリ電圧Ｖｂが直接印加されるが、通電路保護回路２０およびＳＷ入力検出回路４０には、電圧変換器（図示せず）を介して、バッテリ電圧Ｖｂは、所定の電圧に変換されて印加される。
【００２３】
また、本発明の電力供給制御装置は、本実施形態に限られず、スリープモードを有し、負荷への電力供給を制御するとともに給電線を保護するために用いられる、あらゆる電力供給制御装置に適用可能である。
【００２４】
スリープモード設定回路であるＳＷ入力検出回路４０は入力スイッチＳＷに接続される。ＳＷ入力検出回路４０は、入力スイッチＳＷがオンされると、負荷５０への通電の開始を指示する入力信号（通電指示信号）Ｓｉｎを受け取って出力指示信号（通電指示信号）Ｓｔｎを生成する。すなわち、本実施形態においては、負荷５０への通電開始の指示は、入力スイッチＳＷがオンされることによって行われる。なお、図１には、入力スイッチＳＷがオンされるとローレベルの入力信号Ｓｉｎを受け取る例が示される。
【００２５】
また、ＳＷ入力検出回路４０は、入力スイッチＳＷがオフされた場合、負荷５０への通電の終了を指示する入力信号Ｓｉｎを受け取る。なお、図１には、入力スイッチＳＷがオフされるとハイレベルの入力信号Ｓｉｎを受け取る例が示される。すなわち、ＳＷ入力検出回路４０の入力信号Ｓｉｎを受け取る端子（図示せず）はプルアップされている。
【００２６】
そして、入力スイッチＳＷがオフされた後において、環境温度Ｔａからの通電路５１の上昇温度（以下、「電線上昇温度」という）ΔＴｗが規定上昇量ΔＴ_lower以下となった場合、ＳＷ入力検出回路４０は、スリープモード信号Ｓｐを生成する。そして、ＳＷ入力検出回路４０は、スリープモード信号Ｓｐを電力供給制御装置１０内の各回路に供給して、電力供給制御装置１０をスリープモード（スリープ状態）に設定する。
【００２７】
なお、ＳＷ入力検出回路４０は、電力供給制御装置１０のスリープ状態においても、負荷５０への通電を指示する入力信号Ｓｉｎの受け取りが可能な状態とされる。そして、ＳＷ入力検出回路４０は、スリープ状態における入力信号Ｓｉｎの受け取りに応じて電力供給制御装置１０を起動状態とする機能、すなわちＷａｋｅ−ｕｐ（ウェイクアップ）機能を有する。
【００２８】
スイッチ回路３０は、バッテリＢａと通電路５１との間に設けられ、バッテリＢａから負荷５０への電力供給を、通電路保護回路２０からの通電制御信号Ｓｃｎに応じてオン・オフする。ここで、スイッチ回路３０は半導体スイッチとして構成され、負荷５０に電力を供給するメインスイッチ３１と負荷電流（通電電流）Ｉを検出するためのセンストランジスタ（電流検出手段）３２とを含む。メインスイッチ３１およびセンストランジスタ３２は、例えば、図１に示されるように、ＮチャネルＦＥＴ（電界効果トランジスタ）によって構成される。
【００２９】
通電路保護回路２０は、通電判断制御回路２１、電線温度演算回路２２、電流検出回路（電流検出手段）２３、および環境温度センサ（温度検出手段）２４を含み、通電指示信号Ｓｔｎにしたがってスイッチ回路３０の通電を許可するとともに、通電路５１の温度Ｔｗが所定の上限値Ｔｓｍに達した場合、スイッチ回路３０の通電を禁止して通電路５１を保護する。
【００３０】
電流検出手段は、電流検出回路２３およびセンストランジスタ３２を含み、スイッチ回路３０を介して通電路５１に流れる負荷電流Ｉを検出する。電流検出回路２３は、センストランジスタ３２によって検出されるセンス電流を所定倍して負荷電流Ｉに換算する。通電電流Ｉの情報は、電線温度演算回路２２に提供される。
【００３１】
環境温度センサ２４は、例えば、電線温度演算回路２２の近傍に設けられ、自動車のエンジンルーム内の環境温度Ｔａを検出する。検出された環境温度Ｔａの情報は、電線温度演算回路２２に提供される。
【００３２】
電線温度演算回路２２は、スリープモードではない通常の動作モードにおいては、通電電流Ｉの有無にかかわらず、通電電流Ｉによる通電路５１の発熱と、通電路５１の放熱との差に基づいて、環境温度Ｔａからの電線上昇温度ΔＴｗを算出して、推定する。そして、電線温度演算回路２２は、環境温度Ｔａに、算出された電線上昇温度ΔＴｗを加算して、通電路５１の温度（以下、単に「電線温度」という）Ｔｗを算出する。電線温度演算回路２２は、算出した電線上昇温度ΔＴｗをＳＷ入力検出回路４０に提供し、電線温度Ｔｗの情報を通電判断制御回路２１に提供する。
【００３３】
ここで、電線温度演算回路２２は、例えば、所定時間Δｔ毎に通電電流Ｉをサンプリングし、各通電電流Ｉの値を下式（１）に代入して、電線上昇温度ΔＴｗを算出する。
ΔＴｗ（ｎ）＝ΔＴｗ（ｎ−１）×ｅｘｐ（−Δｔ／τｗ）＋Ｒｔｈｗ
×Ｒｗ（ｎ−１）×Ｉ（ｎ−１）２×（１−ｅｘｐ（−Δｔ／τｗ））  ……（１）
ここで、Ｉ（ｎ）：検出ｎ（１以上の整数）回目の検出通電電流値（Ａ）
ΔＴｗ（ｎ）：検出ｎ回時での電線上昇温度（℃）
Ｒｗ（ｎ）＝Ｒｗ（０）×（１＋κｗ×（Ｔｗ−Ｔｏ））
：検出ｎ回時の電線抵抗（Ω）
Ｒｗ（０）：所定基準温度Ｔｏでの電線抵抗（Ω）
Ｒｔｈｗ：電線熱抵抗（℃／Ｗ）
τｗ：電線放熱時定数（ｓ）
κｗ：電線抵抗温度係数（／℃）
なお、式（１）において、通電電流Ｉが含まれない第１項が通電路５１の放熱を示し、通電電流Ｉを含む第２項が通電電流Ｉによる通電路５１の発熱を示している。すなわち、負荷５０への通電が遮断されて通電電流Ｉが無い場合は、通電路５１の放熱によって、電線温度Ｔｗが決定される。
【００３４】
通電判断制御回路２１は、ＳＷ入力検出回路４０からの通電指示信号Ｓｔｎにしたがってスイッチ回路３０のオン・オフを制御するとともに、電線温度Ｔｗが所定の上限値Ｔｓｍに達した場合、スイッチ回路３０をオフする。なお、ここで電線温度Ｔｗの上限値Ｔｓｍは、電線発煙温度とされる。すなわち、通電判断制御回路２１は、電線温度Ｔｗが電線発煙温度Ｔｓｍに達した場合、通電路５１を保護するために、スイッチ回路３０のメインスイッチ３１をオフして、負荷５０への通電を禁止する。
【００３５】
２．電力供給制御装置の動作
次に、図２のタイムチャートを参照して、本実施形態における電力供給制御装置１０の動作を説明する。  
今、負荷（モータ）５０が停止状態において、図２の時刻ｔ０において、負荷５０への通電を開始させるために入力スイッチＳＷがオンされたとする。すると、入力スイッチＳＷのオンに応じて、ＳＷ入力検出回路４０は、Ｗａｋｅ−ｕｐ機能によって電力供給制御装置１０を起動状態とする。また、ＳＷ入力検出回路４０は、出力指示信号（通電指示信号）Ｓｔｎを通電判断制御回路２１に供給する。
【００３６】
通電判断制御回路２１は出力指示信号Ｓｔｎに応じてスイッチ回路３０のメインスイッチ３１をオンする通電制御信号Ｓｃｎを生成して、メインスイッチ３１をオンさせる。すると、通電電流ＩがバッテリＢａから負荷５０に供給され、電線温度Ｔｗが環境温度Ｔａから上昇する。
【００３７】
すなわち、負荷５０への通電指令に応じて、センストランジスタ３２および電流検出回路２３は負荷電流Ｉを検出し、環境温度センサ２４は環境温度Ｔａを検出する（検出工程）。また、電線温度演算回路２２は、式１に基づいて、環境温度Ｔａからの電線上昇温度ΔＴｗを算出して、環境温度Ｔａに電線上昇温度ΔＴｗを加算して、電線温度Ｔｗを算出する（算出工程）。
【００３８】
なお、図２には、通電電流Ｉの値として、通電路５１にショートが発生した場合のショート電流Ｉｓと通常時に流れる通常電流Ｉｎとが示される。なお、図２には、時刻ｔ０において通電路５１にショートが発生している場合が示されている。
【００３９】
図２の時刻ｔ１において、通電路５１のショートが一旦解除されると、通電電流Ｉがショート電流Ｉｓから通常電流Ｉｎに減少する。このとき、通電電流Ｉによる発熱よりも通電路５１の放熱のほうが大きくなるため、算出される電線温度Ｔｗは低下する。
【００４０】
次いで、図２の時刻ｔ２において通電電流Ｉが再び通常電流Ｉｎからショート電流Ｉｓに増加すると、電線温度Ｔｗも増加する。そして、図２の時刻ｔ３において入力スイッチＳＷがオフされると、ＳＷ入力検出回路４０は、通電電流Ｉを停止するための出力指示信号Ｓｔｎを通電判断制御回路２１に供給する。通電判断制御回路２１は、出力指示信号Ｓｔｎに応じてメインスイッチ３１をオフする通電制御信号Ｓｃｎを生成して、メインスイッチ３１は通電制御信号Ｓｃｎによってオフさせる。すると、負荷５０への通電電流Ｉは遮断され、算出される電線温度Ｔｗは低下する。
【００４１】
なお、図２の最下段には、入力スイッチＳＷがオフされると、その直後にスリープモードに移行する、従来のスリープモード移行における、電線温度Ｔｗの一例が示される。従来のスリープモード移行の場合、入力スイッチＳＷがオフされると、例えば、電線温度演算回路２２は電線温度Ｔｗの算出動作を停止する。そのため、例えば、図２に示されるように、電線上昇温度ΔＴｗはリセットされ、電線温度Ｔｗは環境温度Ｔａとされる。一方、本実施形態においては、入力スイッチＳＷのオフとともにスリープモードに移行しないため、入力スイッチＳＷがオフされても電線温度演算回路２２は電線上昇温度ΔＴｗおよび電線温度Ｔｗの算出動作を継続する。
【００４２】
次いで、図２の時刻ｔ４において再び入力スイッチＳＷがオンされたとすると、時刻ｔ０と同様に、入力検出回路４０は、通電電流Ｉを流すための出力指示信号Ｓｔｎを通電判断制御回路２１に供給する。通電判断制御回路２１は出力指示信号Ｓｔｎに応じてメインスイッチ３１をオンさせる。すると、通電電流Ｉに応じて算出される電線温度Ｔｗは、その時の温度から上昇する。
【００４３】
一方、従来のスリープモード移行の場合、電線温度Ｔｗは、環境温度Ｔａから上昇する。すなわち、電線温度演算回路２２は、時刻ｔ４における実際の電線温度Ｔｗが環境温度Ｔａよりも高いにも係わらず、時刻ｔ４における電線温度Ｔｗを環境温度Ｔａに等しいとして電線温度Ｔｗの算出を開始する。
【００４４】
そして、例えば、図２の時刻ｔ５において電線温度Ｔｗが電線発煙温度Ｔｓｍに達した場合、本実施形態においては、入力スイッチＳＷがオン状態であっても、通電判断制御回路２１は、通電路５１を保護するために、メインスイッチ３１をオフして、負荷５０への通電を禁止する（禁止工程）。通電が禁止されることによって電線温度Ｔｗは低下し、通電路５１は発煙に至らず、適切に保護される。
【００４５】
一方、従来のスリープモード移行にしたがった電線温度Ｔｗの算出の場合には、時刻ｔ５において、算出される電線温度Ｔｗが、まだ電線発煙温度Ｔｓｍにまで達していないため、通電電流Ｉは、図２の点線で示されるように、入力スイッチＳＷがオフされる時刻ｔ６までさらに継続して流れることとなる。すなわち、従来のスリープモード移行にしたがって電線温度Ｔｗの算出を行うと、実際に電線温度Ｔｗが電線発煙温度Ｔｓｍまで達しているのもかかわらず、電力供給制御装置１０は、それを誤認識して、さらに通電電流Ｉを流し続ける虞がある。
【００４６】
そして、本実施形態においては、図２の時刻ｔ７において、電線温度Ｔｗが所定のしきい値温度Ｔｔｈ以下まで低下し、電線上昇温度ΔＴｗが判定上昇量（本発明における「所定の温度値」に相当）ΔＴ_lower以下となった場合、ＳＷ入力検出回路４０は、スリープモード信号Ｓｐを生成し、電力供給制御装置１０をスリープモードに設定する（設定工程）。
【００４７】
このように、本実施形態においては、しきい値温度Ｔｔｈは、環境温度Ｔａに所定の温度値（判定上昇量ΔＴ_lower）を加算したものとして設定される。そのため、電力供給制御装置１０の設置状況に応じて、所定の温度値ΔＴ_lowerを適宜設定することによって、電力供給制御装置１０をスリープモードとするタイミング、すなわち、省電力化と電線保護の信頼性とのバランスを適宜調整することができる。例えば、電線保護の信頼性を重きが置かれる場合は、しきい値温度Ｔｔｈを環境温度Ｔａに近い温度に設定するようにすればよい。すなわち、所定の加算温度（判定上昇量ΔＴ_lower）を小さく、例えば、０．１℃から５℃の間とするようにすればよい。
【００４８】
３．本実施形態の効果
上記したように、本実施形態においては、スリープモードに移行する条件に、電線上昇温度ΔＴｗの条件が加味される。すなわち、入力スイッチＳＷがオフされた場合であっても、電線上昇温度ΔＴｗが判定上昇量ΔＴ_lowerより大きい場合（電線温度Ｔｗがしきい値温度Ｔｔｈより大きい場合）、電力供給制御装置１０はスリープモードに移行せず、電線温度演算回路２２は電線温度Ｔｗの算出動作を継続する。そのため、負荷５０への通電のオン・オフが比較的短期間に繰り替えされ、電線温度Ｔｗが環境温度Ｔａまで低下しない場合においても、好適に電線温度Ｔｗが算出され、適切に通電路５１の保護を行うことができる。すなわち、本実施形態による電力供給制御装置１０によれば、スリープモードを有しつつ、適切に通電路５１の保護を行うことができる。
【００４９】
また、しきい値温度Ｔｔｈは、環境温度Ｔａに所定の温度値ΔＴ_lowerを加算したものとして設定される。そのため、電力供給制御装置１０の設置状況に応じて、所定の温度値ΔＴ_lowerを適宜設定することによって、電力供給制御装置１０の省電力化と電線保護の信頼性とのバランスを適宜調整することができる。
【００５０】
＜他の実施形態＞
本発明は上記記述及び図面によって説明した実施形態に限定されるものではなく、例えば次のような実施形態も本発明の技術的範囲に含まれる。
【００５１】
（１）本実施形態においては、しきい値温度Ｔｔｈが、環境温度Ｔａに所定の温度値（判定上昇量ΔＴ_lower）を加算したものとして設定される例を示したが、これに限定されない。しきい値温度Ｔｔｈを環境温度Ｔａに依存しない、所定の一定温度として設定するようにしてもよい。この場合であっても、電線保護の信頼性を確保することができる。
【００５２】
（２）上記実施形態では、電流検出手段を、電流検出回路２３およびセンストランジスタ３２によって構成する例を示したが、これに限られない。通電電流の検出を、例えば、シャント抵抗を用いて行うようにしてもよいし、あるいはメインスイッチ（ＮチャネルＦＥＴ）のドレイン−ソース間電圧Ｖｄｓに基づいて行うようにしてもよい。
【００５３】
（３）上記実施形態では、スリープモード設定回路をＳＷ入力検出回路４０とする例を示したが、これに限られない。ＳＷ入力検出回路４０とは別個に、スリープモード設定回路を設けるようにしてもよい。
【００５４】
（４）上記実施形態において、電力供給制御装置１０の各回路を個別の回路として構成する例を示したが、これに限れない。例えば、環境温度センサ２４を除く通電路保護回路２０とＳＷ入力検出回路４０とを、ＡＳＩＣ（特定用途向け集積回路）によって構成するようにしてもよい。
【符号の説明】
【００５５】
１０…電力供給制御装置
２０…通電路保護回路
２１…通電判断制御回路
２２…電線温度演算回路
２３…電流検出回路（電流検出手段）
２４…環境温度センサ（温度検出手段）
３０…スイッチ回路
３１…メインスイッチ（スイッチ回路）
３２…センストランジスタ（電流検出手段）
４０…ＳＷ入力検出回路（スリープモード設定回路）
Ｉ…通電電流
Ｔａ…環境温度
Ｔｔｈ…しきい値温度
Ｔｗ…通電路の温度（電線温度）
ΔＴｗ…通電路の上昇温度
ΔＴ_lower…判定上昇量（所定の温度値）
【図１】
2010239835.tif 000003
【図２】
2010239835.tif 000004